(57)【要約】【課題】ＣＷ信号受信時に生じるトーン信号の発生を低減し、音質低下を抑制する。【解決手段】受信機１は、ＲＦ受信信号を、ローカル信号を利用してダウンコンバートする直交復調部１５、１６と、直交復調部１５、１６の出力信号をデジタル信号処理部２１で信号処理した信号を復調する復調回路２２と、復調回路２２の出力信号を入力し音声帯域を除く帯域の信号を減衰する音声フィルタ２３と、ダウンコンバートされた信号の信号強度を検出するパワー検出部２１ａと、検出された信号強度が閾値以下であるかを判定するパワー判定部２１ｂと、信号強度が閾値以下であるとき第一のローカル信号を前記ローカル信号として直交復調部１５、１６に出力し、信号強度が閾値を上回るとき第一のローカル信号の周波数にオフセット周波数を加算した周波数に設定された第二のローカル信号を出力する局部発振回路１３と、を備える。【選択図】      図１
2019092078.tif 000002
【特許請求の範囲】
【請求項１】
ＲＦ受信信号とローカル信号とが入力され、前記ＲＦ受信信号を、前記ローカル信号を利用してダウンコンバートする直交復調部と、
当該直交復調部でダウンコンバートされた信号に対して所定の信号処理を行う信号処理部と、
前記信号処理部から出力される前記ダウンコンバートされた信号を復調する復調回路と、
当該復調回路で復調された信号を入力し、予め設定した音声帯域を除く帯域の信号を減衰する音声フィルタと、
前記ダウンコンバートされた信号の信号強度を検出するパワー検出部と、
前記パワー検出部で検出された信号強度が予め設定した閾値以下であるか否かを判定するパワー判定部と、
前記パワー判定部で、前記信号強度が前記閾値以下であると判定されるときには第一のローカル信号を前記ローカル信号として前記直交復調部に出力し、前記信号強度が前記閾値を上回ると判定されるときには前記第一のローカル信号の周波数に予め設定したオフセット周波数を加算した周波数に設定された第二のローカル信号を前記ローカル信号として前記直交復調部に出力する局部発振回路と、
を備えるダイレクトコンバージョン受信機。
【請求項２】
前記パワー検出部は、前記ダウンコンバートされた信号に基づき前記信号強度を検出する請求項１に記載のダイレクトコンバージョン受信機。
【請求項３】
前記パワー判定部は、二つの閾値を設定し、ヒステリシス特性により前記第一のローカル信号と前記第二のローカル信号とを切り替える請求項１又は請求項２に記載のダイレクトコンバージョン受信機。
【請求項４】
前記第一のローカル信号は、前記ＲＦ受信信号と同一周波数に設定されている請求項１から請求項３のいずれか一項に記載のダイレクトコンバージョン受信機。
【発明の詳細な説明】
【技術分野】
【０００１】
本発明は、ダイレクトコンバージョン受信機に関する。
【背景技術】
【０００２】
業務用の無線業界では、従来、受信方式としてスーパーヘテロダイン方式が採用されている。また、近年は、小型化等の要求から、実装面積が小さなダイレクトコンバージョン方式が期待されている。
このダイレクトコンバージョン方式を用いた受信機では、ベースバンド信号にＤＣオフセットが発生し、このＤＣオフセットにより受信感度が劣化することが知られている。そのため、従来、例えば、ＤＣオフセットをハイパスフィルタで減衰する方法や、特にＦＭ／ＦＳＫ変調方式で通信を行う場合に適したＤＣオフセットを減衰する方法等も提案されている（例えば、特許文献１参照。）。
【先行技術文献】
【特許文献】
【０００３】
【特許文献１】特開２０１７−３４５４５号公報
【発明の概要】
【発明が解決しようとする課題】
【０００４】
ところで、アナログ業務用無線機では、一般にＦＭ変調方式が用いられている。ダイレクトコンバージョン方式でＦＭ変調信号を受信した場合、ダイレクトコンバージョン受信機に含まれる各種デバイスでの処理過程で受信信号に生じた歪み成分が、ベースバンド信号をＦＭ復調した後に得られるＦＭ復調信号の音質に大きな影響を与えるという問題がある。
【０００５】
つまり、アナログ無線では、通話中に相手が黙るとＣＷ信号（無変調連続波  Continuous Wave）が出力される。このようなＣＷ信号を受信したとき、ダイレクトコンバージョン受信機では、ＲＦ受信信号とローカル信号とが同じ周波数となるように設定されている場合、ＲＦ受信信号つまりＣＷ信号が、直交復調部でベースバンド信号にダウンコンバートされた後、ＤＣ（直流）成分が出力されるはずである。
【０００６】
しかしながら、実際の受信機では、使用する基準周波数発生部のばらつきにより、±１ｋＨｚ程度、受信したＣＷ信号とローカル信号との間に周波数誤差が発生する。そのため、この周波数誤差相当の信号成分が、直交復調部でダウンコンバートされてベースバンド信号に現れる。
このような、周波数誤差が生じるようなＲＦ信号が受信機に入力され、周波数誤差によって、入力されたＲＦ受信信号のベースバンド信号に偶数次歪みが発生すると、ベースバンド信号は、ＩＱ直交座標系では、例えば図４（ａ）に示すように、楕円のようなベクトル軌跡を取る。また、奇数次歪みが発生すると、ＩＱ直交座標では、例えば図４（ｂ）に示すように、正方形のようなベクトル軌跡を取る。
【０００７】
ここで一般に、ダウンコンバートされたＣＷ信号をＦＭ復調した場合、ＣＷ信号は周波数の変化がないため、ＦＭ復調の結果得られる信号はＤＣ成分となる。また、ダイレクトコンバージョン受信機では、一般に、ＦＭ復調後の信号を音声フィルタに通し、人間の可聴帯域を除く帯域の信号を減衰することが行われている。そのため、ＦＭ復調の結果得られるＣＷ信号のＤＣ成分は、ＦＭ復調後に音声フィルタで減衰され、受信機の利用者には、例えばホワイトノイズの「ザー」といった音として聞こえることになる。
【０００８】
しかしながら、上記のように、ＣＷ信号とローカル信号との周波数誤差により生じた歪み成分を含むベースバンド信号をＦＭ復調した場合、ＣＷ信号とローカル信号との周波数誤差をΔｆとすると、ベースバンド信号が図４（ａ）に示すベクトル軌跡を有する場合には、ＦＭ復調信号に、２×ΔｆｋＨｚの信号成分が現れ、図４（ｂ）に示すベクトル軌跡を有する場合には、４×ΔｆｋＨｚの信号成分が現れる。
このとき、周波数誤差をΔｆ＝１ｋＨｚとすると、ＦＭ復調信号には、周波数誤差Δｆが、２×Δｆ＝２ｋＨｚの信号成分、又は４×Δｆ＝４ｋＨｚの信号成分として現れ、結果的に、トーン信号として受信機から出力されることになる。そのため、受信機の利用者には、非常に耳障りな音として聞こえることになる。
【０００９】
受信機では、ＦＭ復調後の信号に音声フィルタをかけているが、図４に示す例では、図５に示すように、例えば４ｋＨｚに現れる信号成分は音声フィルタの帯域（例えば、３００Ｈｚ〜３ｋＨｚ程度）外となるため減衰されるが、２ｋＨｚに現れる信号成分は音声フィルタで減衰されることなく残る。そのためトーン信号として受信機から出力され、音質低下の一因となる。
本発明は、従来の未解決の問題に着目してなされたものであり、ＣＷ信号受信時に発生する耳障りなトーン信号の発生を低減し、音質低下を抑制することの可能なダイレクトコンバージョン受信機を提供することを目的としている。
【課題を解決するための手段】
【００１０】
上記目的を達成するために、本発明の一態様に係るダイレクトコンバージョン受信機は、ＲＦ受信信号とローカル信号とが入力され、前記ＲＦ受信信号を、前記ローカル信号を利用してダウンコンバートする直交復調部と、当該直交復調部でダウンコンバートされた信号に対して所定の信号処理を行う信号処理部と、前記信号処理部から出力される前記ダウンコンバートされた信号を復調する復調回路と、当該復調回路で復調された信号を入力し、予め設定した音声帯域を除く帯域の信号を減衰する音声フィルタと、前記ダウンコンバートされた信号の信号強度を検出するパワー検出部と、前記パワー検出部で検出された信号強度が予め設定した閾値以下であるか否かを判定するパワー判定部と、前記パワー判定部で、前記信号強度が前記閾値以下であると判定されるときには第一のローカル信号を前記ローカル信号として前記直交復調部に出力し、前記信号強度が前記閾値を上回ると判定されるときには前記第一のローカル信号の周波数に予め設定したオフセット周波数を加算した周波数に設定された第二のローカル信号を前記ローカル信号として前記直交復調部に出力する局部発振回路と、を備えることを特徴としている。
【発明の効果】
【００１１】
本発明の一態様によれば、ＣＷ信号に起因して生じるトーン信号を低減することができ、ＣＷ信号受信時の音質低下を抑制することができる。
【図面の簡単な説明】
【００１２】
【図１】本発明の一実施形態に係るダイレクトコンバージョン受信機の一例を示すブロック図である。
【図２】パワー判定部の処理手順の一例を示すフローチャートである。
【図３】本発明の一実施形態に係るダイレクトコンバージョン受信機の効果を説明するための説明図である。
【図４】本発明の一実施形態に係るダイレクトコンバージョン受信機の効果を説明するための説明図である。
【図５】本発明の一実施形態に係るダイレクトコンバージョン受信機の効果を説明するための説明図である。
【発明を実施するための形態】
【００１３】
以下の詳細な説明では、本発明の実施形態の完全な理解を提供するように多くの特定の具体的な構成について記載されている。しかしながら、このような特定の具体的な構成に限定されることなく他の実施態様が実施できることは明らかである。また、以下の実施形態は、特許請求の範囲に係る発明を限定するものではなく、実施形態で説明されている特徴的な構成の組み合わせの全てを含むものである。
【００１４】
以下、図面を参照して、本発明の一実施形態を説明する。以下の図面の記載において、同一部分には同一符号を付している。ただし、図面は模式的なものであり、厚みと平面寸法との関係、各層の厚みの比率等は現実のものとは異なる。
図１は、本発明の一実施形態を示す、ダイレクトコンバージョン受信機（以後、単に受信機という。）１の概略構成の一例を示す回路図である。
【００１５】
本発明の一実施形態に係る受信機１は、デジタル変調された搬送波を、位相の直交する２つのローカル信号それぞれと掛け合わせることによってＤＣ近傍にダウンコンバートし、直交復調するダイレクトコンバージョン方式を採る。
図１に示すように、受信機１は、アンテナ１１と、低雑音増幅器（ＬＮＡ：Ｌｏｗ  Ｎｏｉｓｅ  Ａｍｐｌｅｆｉｅｒ）１２と、局部発振回路１３と、移相器１４と、Ｉｃｈ直交復調部１５及びＱｃｈ直交復調部１６と、を備える。さらに、受信機１は、フィルタ回路１７及び１８と、ＡＤ変換器１９及び２０と、デジタル信号処理部２１と、復調回路２２と、音声フィルタ２３と、スピーカ４とを備える。なお、Ｉｃｈ直交復調部１５及びＱｃｈ直交復調部１６が直交復調部に対応し、デジタル信号処理部２１が信号処理部に対応している。
【００１６】
図１において、アンテナ１１は、ＦＭ変調された信号を受信する。
低雑音増幅器１２は、アンテナ１１を介して受信したＲＦ信号（高周波信号）（以下、ＲＦ受信信号という。）を低ノイズで増幅し、Ｉｃｈ直交復調部１５及びＱｃｈ直交復調部１６に出力する。
【００１７】
局部発振回路１３は、ＲＦ受信信号を周波数変換するためのローカル信号を生成する。本発明の一実施形態に係る局部発振回路１３は、ローカル信号として周波数の異なる二つのローカル信号Ｌ１及びＬ２を出力する。ローカル信号Ｌ１の周波数は、ＲＦ受信信号の周波数Ｆｒｆと同一となるように設定される。理想的にはローカル信号Ｌ１の周波数とＲＦ受信信号の周波数Ｆｒｆは同一であるが、実際には１ｋＨｚ程度の周波数差が生じる場合がある。ローカル信号Ｌ２の周波数は、ＲＦ受信信号の周波数Ｆｒｆに、予め設定したオフセット周波数Ｆｏｆｆを加算した周波数「Ｆｒｆ＋Ｆｏｆｆ」となるように設定される。また、局部発振回路１３は、デジタル信号処理部２１から、ローカル信号Ｌ１及びＬ２のいずれを選択するかを指示する選択信号Ｓｆを入力し、選択信号Ｓｆで指定されたローカル信号Ｌ１又はＬ２を生成し出力する。なお、局部発振回路１３は、起動時等、デジタル信号処理部２１から選択信号Ｓｆが入力されない間は、初期値としてローカル信号Ｌ１を出力する。オフセット周波数Ｆｏｆｆは、ＣＷ信号とローカル信号との周波数誤差に起因する歪みにより、ベースバンド信号に現れる信号成分の周波数帯域を、音声フィルタ２３によって減衰可能な帯域にオフセットし得る値に設定される。オフセット周波数Ｆｏｆｆは、予め実験等によって検出される。
【００１８】
局部発振回路１３で生成されたローカル信号は移相器１４を介してＩｃｈ直交復調部１５に入力されると共に、直接Ｑｃｈ直交復調部１６に入力される。
移相器１４は、局部発振回路１３から入力されたローカル信号の位相を９０°移相する。
Ｉｃｈ直交復調部（ＤＥＭＯＤ  Demodulator）１５は、低雑音増幅器１２から入力されるＲＦ受信信号に、移相器１４から入力されるローカル信号を掛け合わせる。また、Ｑｃｈ直交復調部（ＤＥＭＯＤ）１６は、低雑音増幅器１２から入力されるＲＦ受信信号に、局部発振回路１３から入力されるローカル信号を掛け合わせる。これにより、Ｉｃｈ直交復調部１５及びＱｃｈ直交復調部１６は、低雑音増幅器１２からのＲＦ受信信号を、ＤＣレベルまたはＤＣレベル近傍のベースバンド周波数にダウンコンバートして、位相が互いに９０°ずれたＩ信号及びＱ信号を出力する。
【００１９】
Ｉｃｈ直交復調部１５から出力されるＩ信号は、フィルタ回路１７で、対象チャネルに対応する周波数を除く帯域の信号や妨害波の減衰、またアンチエリアシング等の処理が行われた後、ＡＤ変換器１９でデジタル信号に変換されてデジタル信号処理部２１に入力される。Ｑｃｈ直交復調部１６から出力されるＱ信号に対しても、Ｉ信号と同様にフィルタ回路１８及びＡＤ変換器２０で処理されて、デジタル信号処理部２１に入力される。
【００２０】
デジタル信号処理部２１は、ＡＤ変換器１９及び２０を介して入力されたＩ信号及びＱ信号に対して、例えば、フィルタ回路１７、１８では除去しきれなかった妨害波のさらなる減衰、ＤＣオフセットの除去等の所定の信号処理を行った後、Ｉ信号及びＱ信号を復調回路２２に出力する。また、デジタル信号処理部２１は、パワー検出部（ＲＳＳＩ  Received Signal Strength Indicator）２１ａと、パワー判定部２１ｂとを備える。
パワー検出部２１ａは、ＡＤ変換器１９及び２０を介して入力されたＩ信号及びＱ信号に基づき、フィルタ回路１７、１８でのフィルタ処理後のベースバンド信号の信号強度を検出する。
【００２１】
パワー判定部２１ｂは、パワー検出部２１ａで検出された信号強度に基づき判定を行う。具体的には、パワー判定部２１ｂは、パワー検出部２１ａで検出された信号強度が予め設定された閾値を上回るか否かを判定し、信号強度が閾値を上回るとき、局部発振回路１３にローカル信号Ｌ２を指定する選択信号Ｓｆを出力し、信号強度が閾値以下であるとき、局部発振回路１３にローカル信号Ｌ１を指定する選択信号Ｓｆを出力する。なお、ここでは、パワー検出部２１ａで検出された信号強度と閾値との大小関係に応じてローカル信号Ｌ１とＬ２とを切り替える場合について説明するがこれに限るものではない。例えば、パワー判定部２１ｂが、二つの閾値を設定し、ヒステリシス特性によりローカル信号Ｌ１とＬ２とを切り替えるようにしてもよい。
【００２２】
復調回路２２は、デジタル信号処理部２１から入力されるＩ信号及びＱ信号に基づいて、受信信号を受信しているか否かを判定し、受信していると判定されるとき、Ｉ信号及びＱ信号に基づいて振幅、周波数、位相情報を抽出し、これらに基づいて受信信号を復調する。具体的には、例えば復調回路２２は、信号強度を検出するＲＳＳＩ測定部を有し、ＲＳＳＩ測定部が測定した信号強度が予め設定された受信判定用の閾値を超えるとき、受信信号を受信していると判定する。受信信号を受信していると判定されるときにのみＩ信号及びＱ信号に基づき復調し、ＦＭ復調信号として音声フィルタ２３に出力する。
【００２３】
音声フィルタ２３は、例えば３００Ｈｚ以上３ｋＨｚ以下の、人間の可聴帯域を除く帯域の信号を減衰させる。音声フィルタ２３で減衰されたＦＭ復調信号は、スピーカ２４に出力される。
次に、上記実施形態の動作を説明する。
図２は、パワー判定部２１ｂの処理手順の一例を示すフローチャートである。
受信機１では、起動されると、パワー判定部２１ｂから局部発振回路１３に、初期状態としてローカル信号Ｌ１を指定する選択信号Ｓｆが出力される（ステップＳ１）。局部発振回路１３は、周波数がＲＦ受信信号の周波数と同一に設定されたローカル信号Ｌ１を出力する。
【００２４】
そのため、アンテナ１１に入力されたＲＦ受信信号は、低雑音増幅器１２で低ノイズで増幅された後、Ｉｃｈ直交復調部１５及びＱｃｈ直交復調部１６それぞれで、位相が９０°異なるローカル信号Ｌ１と掛け算されてＩ信号及びＱ信号が生成される。このＩ信号及びＱ信号は、フィルタ回路１７、１８、ＡＤ変換器１９、２０を経てデジタル信号処理部２１に入力され、Ｉ信号及びＱ信号に対してデジタル信号処理部２１で、所定の処理が行われた後、復調回路２２でＦＭ復調される。復調回路２２で復調されたＦＭ復調信号は音声フィルタ２３で、所定の帯域を除く帯域の信号が減衰された後、スピーカ２４から出力される。
【００２５】
このとき、パワー検出部２１ａでは、Ｉ信号及びＱ信号に基づきフィルタ回路１７、１８でのフィルタ処理後のベースバンド信号の信号強度を検出しており（ステップＳ２）、信号強度が閾値以下である間は、ローカル信号Ｌ１を指定する。そのため、アンテナ１１に入力されたＲＦ受信信号は、ＲＦ受信信号と同一の周波数に設定されたローカル信号Ｌ１によりダウンコンバートされる。
【００２６】
一方、ベースバンド信号の信号強度が閾値より大きくなると、パワー検出部２１ａでは、ステップＳ３に移行して、ローカル信号Ｌ２を指定する選択信号Ｓｆを出力する。
局部発振回路１３では、ローカル信号Ｌ１から、受信信号の周波数にオフセット周波数Ｆｏｆｆが加算された周波数に設定されたローカル信号Ｌ２に切り替える。そのため、アンテナ１１に入力されたＲＦ受信信号は、このＲＦ受信信号の周波数にオフセット周波数Ｆｏｆｆが加算された周波数に設定されたローカル信号Ｌ２によりダウンコンバートされるようになる。
【００２７】
この状態から、再度、ベースバンド信号の信号強度が閾値より小さくなると、パワー検出部２１ａでは、ステップ４からステップＳ５に移行して、ローカル信号Ｌ１を指定する選択信号Ｓｆに切り替える。そのため、アンテナ１１に入力されたＲＦ受信信号は、このＲＦ受信信号の周波数と同一の周波数に設定されたローカル信号Ｌ１によりダウンコンバートされるようになる。以後、同様に、ベースバンド信号の信号強度が閾値以上であるか否かに応じて、ローカル信号Ｌ１又はローカル信号Ｌ２を用いてダウンコンバートが行われる。
【００２８】
ここで、通話中に相手が黙りＣＷ信号がＲＦ受信信号として入力される状態では、ＣＷ信号とローカル信号との周波数誤差等により、ベースバンド信号に例えば図４に示すように歪みが生じる場合がある。この歪みを含むベースバンド信号をＦＭ復調すると、本来無音であるはずであるにも関わらず、歪み成分、つまり周波数誤差により、ＦＭ復調信号には、例えば２×ΔｆｋＨｚ、４×ΔｆｋＨｚに信号成分が現れる。
【００２９】
このとき、フィルタ回路１７、１８でのフィルタ処理後のベースバンド信号の信号強度が閾値より小さい場合には、ローカル信号Ｌ１を用いてダウンコンバートが行われる。例えば周波数誤差Δｆ＝１ｋＨｚとしたとき、図４に示す歪みは、２×Δｆ＝２ｋＨｚ、４×Δｆ＝４ｋＨｚの信号成分としてとしてＦＭ復調信号に現れる。ＦＭ復調信号を音声フィルタ２３に通すことにより、４ｋＨｚに現れる信号成分を減衰することはできるが、２ｋＨｚに現れる信号成分は減衰されない。ＦＭ復調信号は２ｋＨｚに信号成分を含むため、受信機１からトーン信号が発生されることになるが、このときベースバンド信号の信号強度が閾値よりも小さいため、受信機１からトーン信号として出力されたとしても、受信機１の利用者にはトーン信号は聞こえないか、聞こえたとしても気にならない。
【００３０】
一方、ＣＷ信号がＲＦ受信信号として入力される状態で、例えば、通話者どうしが比較的近くに存在する等、フィルタ回路１７、１８でのフィルタ処理後のベースバンド信号の信号強度が大きくなり信号強度が閾値を上回ると、ローカル信号Ｌ２を用いてダウンコンバートが行われる。Ｉｃｈ直交復調部１５、Ｑｃｈ直交復調部１６では、ＲＦ受信信号の周波数とは異なる周波数「Ｆｒｆ＋Ｆｏｆｆ」が設定されたローカル信号Ｌ２を用いてダウンコンバートする。このときの周波数誤差Δｆによる信号成分は、周波数が「オフセット周波数Ｆｏｆｆ−Δｆ」の信号成分としてＦＭ復調信号に現れるため、図４に示す歪みが生じた場合、オフセット周波数Ｆｏｆｆ＝４ｋＨｚ、周波数誤差Δｆ＝１ｋＨｚとすると、２×（Ｆｏｆｆ−Δｆ）＝６ｋＨｚ、４×（Ｆｏｆｆ−Δｆ）＝１２ｋＨｚの信号成分として現れる。そのため、いずれの信号成分も音声フィルタ２３によって減衰される。すなわち、受信機１から出力されるトーン信号が低減されることになる。
【００３１】
つまり、アンテナ１１からのＲＦ受信信号をダウンコンバートして得たベースバンド信号の信号強度が大きく、ベースバンド信号に比較的大きな歪みが生じる場合であっても、ローカル信号Ｌ２を用いてダウンコンバートすることによって、ＦＭ復調信号に現れる、周波数誤差による信号成分の周波数が、音声フィルタ２３で通過可能な音声帯域外となるようにしている。そのため、ＦＭ復調信号に現れる周波数誤差による信号成分を、音声フィルタ２３によって減衰することができ、結果的に、周波数誤差による信号成分がトーン信号となって受信機１の利用者に聞こえることを抑制することができる。
【００３２】
一方、周波数誤差Δｆが「−１ｋＨｚ」である場合には、ベースバンド信号の信号強度が小さいときには、ローカル信号Ｌ１を用いてダウンコンバートが行われ、仮にＣＷ信号とローカル信号Ｌ１との間に周波数誤差が生じ、ＦＭ復調信号に周波数誤差による信号成分が現れたとしても、可聴帯域外の周波数の信号成分については音声フィルタ２３で減衰され、また、可聴帯域の信号成分であったとしても、ベースバンド信号の信号強度はそもそも低いため、ＦＭ復調信号に周波数誤差による信号成分が含まれたとしても、受信機１の利用者には、トーン信号として聞こえないか、聞こえたとしても気にならない程度となる。
【００３３】
そして、ベースバンド信号の信号強度が大きく閾値よりも大きいときには、ローカル信号Ｌ２を用いてダウンコンバートが行われる。例えば周波数誤差がΔｆ＝−１ｋＨｚ、オフセット周波数がＦｏｆｆである場合には、図４に示す歪みが生じている場合、ＦＭ復調信号には、２×（Ｆｏｆｆ−Δｆ）＝１０ｋＨｚ、４×（Ｆｏｆｆ−Δｆ）＝２０ｋＨｚの信号成分として現れる。そのため、音声フィルタ２３を通すことにより、周波数誤差による信号成分は減衰され、受信機１の利用者にトーン信号として聞こえることが抑制される。
【００３４】
ここで、通話相手が話をしている最中であるときにも、ベースバンド信号の信号強度に応じてローカル信号Ｌ１及びＬ２の切り替えが行われることになり、ベースバンド信号の信号強度が閾値以下であるときにはＲＦ受信信号の周波数と同一周波数に設定されたローカル信号Ｌ１を用いてダウンコンバートし、ＲＦ受信信号の信号強度が閾値を上回るときにはＲＦ受信信号の周波数にオフセット周波数Ｆｏｆｆを加算した周波数に設定されたローカル信号Ｌ２を用いてダウンコンバートする。つまり、ベースバンド信号の信号強度が閾値以下であるときにはＺｅｒｏ  ＩＦ受信方式で受信処理し、ベースバンド信号の信号強度が閾値を上回るときにはＬｏｗ  ＩＦ受信方式で受信処理することと同等となる。Ｚｅｒｏ  ＩＦ受信方式をＬｏｗ  ＩＦ受信方式に切り替える際に、例えばフィルタ回路１７、１８をベースバンド信号帯域に応じて切り替えることで、ＲＦ受信信号に欠落等を発生させずに受信することが可能であり、Ｚｅｒｏ  ＩＦ受信方式と同等の特性を維持したまま、Ｚｅｒｏ  ＩＦ受信方式を用いることにより生じるトーン信号の発生を抑制することができる。
【００３５】
なお、ここでは、周波数誤差Δｆ＝±１ｋＨｚ、オフセット周波数Ｆｏｆｆ＝４ｋＨｚとした場合について説明したが、ここでは一例としてあげたものでありこれらに限るものではない。
上述のように、オフセット周波数Ｆｏｆｆは、ＣＷ信号とローカル信号Ｌ１との周波数誤差Δｆにより、ＦＭ復調信号に現れる信号成分の周波数を、音声フィルタ２３の可聴帯域外の帯域にオフセットすることの可能な値に設定すればよい。例えば、音声フィルタ２３の減衰帯域、受信機１のチャネル幅、周波数誤差Δｆの大きさ等を考慮して、設定すればよい。一例として、受信機１のチャネル幅が１２．５ｋＨｚ、周波数誤差Δｆが１ｋＨｚである場合には、オフセット周波数Ｆｏｆｆは、３．５ｋＨｚ程度に設定される。
【００３６】
ちなみにオフセット周波数Ｆｏｆｆが小さすぎると、周波数誤差Δｆにより生じる信号成分を音声フィルタ２３によって十分に減衰することができず、トーン信号を十分低減することができない。逆に、オフセット周波数Ｆｏｆｆが大きすぎるとイメージ信号と干渉する可能性があり、イメージ信号に対する対策等を施す必要があり、装置が複雑化する。そのため、これらを考慮してオフセット周波数Ｆｏｆｆを設定することが好ましい。
【００３７】
また、上記実施形態では、パワー検出部２１ａ、パワー判定部２１ｂを、デジタル信号処理部２１に設けた場合について説明したがこれに限るものではない。パワー検出部２１ａは、受信機１の対象チャネルに対応する周波数を除く帯域の信号や妨害波等を減衰させた、受信機１の対象チャネルに対応する周波数の信号成分の信号強度を検出することができればよい。そのため、例えば、フィルタ回路１７とＡＤ変換器１９との間、フィルタ回路１８とＡＤ変換器２０との間の信号をもとに、ベースバンド信号の信号強度を検出するようにしてもよい。
【００３８】
以上、本発明の実施形態を説明したが、上記実施形態は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【符号の説明】
【００３９】
１  ダイレクトコンバージョン受信機
２  音声フィルタ
１１  アンテナ
１２  低雑音増幅器
１３  局部発振回路
１５  Ｉｃｈ直交復調部
１６  Ｑｃｈ直交復調部
２１  デジタル信号処理部
２１ａ  パワー検出部
２１ｂ  パワー判定部
２２  復調回路
２３  音声フィルタ
【図１】
2019092078.tif 000003
【図２】
2019092078.tif 000004
【図３】
2019092078.tif 000005
【図４】
2019092078.tif 000006
【図５】
2019092078.tif 000007